(57)【要約】【課題】音楽データを含む情報の管理を容易に行うこと。【解決手段】情報管理システム１では、歌詞データおよび音楽データと、電子透かしが施されたジャケットデータとを含む楽曲データをサーバ１０から携帯情報端末２０に配信し、携帯情報端末２０のユーザは、ジャケットデータを印刷する。そして、印刷されたジャケットをカメラ等で撮影することにより再生開始情報が抽出され、再生開始情報の入力に対応して、携帯情報端末２０は、ジャケットに対応する音楽データを再生する。したがって、携帯情報端末２０のユーザは、ジャケットを管理することにより、携帯情報端末２０に記憶されている音楽を容易に把握し管理することが可能となる。具体的には、印刷されたジャケットを捲ることで、携帯情報端末２０に記憶されている音楽を容易に把握することができ、音楽を検索する作業が容易なものとなる。【選択図】        図１
2004294502.tif 000002
【特許請求の範囲】
【請求項１】
所定の音楽データを配信可能なサーバと、該サーバとネットワークを介して接続された情報端末と、該情報端末からの指示に基づいて印刷を行う印刷装置とを含み、前記音楽データを管理するための情報管理システムであって、
前記サーバは、前記音楽データと、該音楽データを再生するための契機となる再生開始情報が電子透かしによって埋め込まれたジャケットデータとを含む楽曲データを前記情報端末に配信可能であって、
前記印刷装置は、前記情報端末の指示に基づいて、前記サーバから配信されたジャケットデータを、前記再生開始情報が電子透かしによって埋め込まれた画像として印刷し、
前記情報端末は、前記印刷装置によって印刷されたジャケットの画像をデジタル画像として取得し、取得したデジタル画像から前記再生開始情報を抽出し、該再生開始情報が抽出されることに対応して、前記楽曲データに含まれる音楽データを再生可能となることを特徴とする情報管理システム。
【請求項２】
前記楽曲データには、前記音楽データが再生される際に表示するための歌詞データが含まれ、前記情報端末において音楽データが再生される際に、該歌詞データを表示可能であることを特徴とする請求項１記載の情報管理システム。
【請求項３】
前記楽曲データが前記情報端末に配信された場合、ジャケットデータの印刷が一度のみ許容され、印刷されたジャケットの複製においては、前記再生開始情報が抽出不可能となっていることを特徴とする請求項１または２記載の情報管理システム。
【請求項４】
記憶している複数の音楽データを管理可能な情報端末であって、
前記音楽データと、該音楽データを再生するための契機となる再生開始情報が電子透かしによって埋め込まれたジャケットデータとを対応付けて記憶し、
前記再生開始情報が電子透かしによって埋め込まれた画像として印刷された該ジャケットデータの画像を、デジタル画像として取得し、
取得したデジタル画像から前記再生開始情報を抽出し、該再生開始情報が抽出されることに対応して、前記音楽データを再生可能となることを特徴とする情報端末。
【請求項５】
デジタルデータとして流通する音楽データを管理するための情報管理方法であって、
前記音楽データを、該音楽データを再生するための契機となる再生開始情報が電子透かしによって埋め込まれたジャケットデータと対応付けて楽曲データとして配布し、
配布先である情報端末において、前記ジャケットデータを、前記再生開始情報が電子透かしによって埋め込まれた画像として印刷し、印刷されたジャケットの画像をデジタル画像として取得し、取得したデジタル画像から前記再生開始情報を抽出し、該再生開始情報が抽出されることに対応して、前記楽曲データに含まれる音楽データを再生可能となることを特徴とする情報管理方法。
【発明の詳細な説明】
【０００１】
【発明の属する技術分野】
本発明は、音楽等の情報を管理する情報管理システム、情報端末および情報管理方法に関する。
【０００２】
【従来の技術】
近年、携帯情報端末等の端末装置には、音楽再生機能が備えられているのが一般的である。
このような端末装置においては、ネットワークを介してダウンロードした音楽データを記憶しておき、ユーザが選択することにより再生させることが可能である。
【０００３】
音楽データを端末装置で再生する技術として、特開２００２−１２３２７３号公報に記載された技術が知られている。
本号公報に記載された技術においては、ユーザが、各楽曲データと自らが別途取得した好みの映像等を対応付けておき、楽曲データの再生中、端末装置の表示画面に、対応付けられた映像等を表示させることができる。
【０００４】
【特許文献１】
特開２００２−１２３２７３号公報
【０００５】
【発明が解決しようとする課題】
しかしながら、近年、携帯情報端末等の端末装置においては、記憶容量が著しく大容量化しており、記憶できる音楽データの情報量も増加しつつある。
そのため、ユーザは、端末装置に記憶されている音楽データを把握しきれず、その管理を如何に行うかが問題となっていた。
また、特開２００２−１２３２３７号公報に記載された技術においては、ユーザ自らが音楽データの対応付けを行う必要があり、作業負担が大きいものであった。
本発明の課題は、音楽データを含む情報の管理を容易に行うことである。
【０００６】
【課題を解決するための手段】
以上の課題を解決するため、本発明は、
所定の音楽データを配信可能なサーバ（例えば、図１のサーバ１０）と、該サーバとネットワークを介して接続された情報端末（例えば、図１の携帯情報端末２０）と、該情報端末からの指示に基づいて印刷を行う印刷装置（例えば、図１のプリンタ３０）とを含み、前記音楽データを管理するための情報管理システムであって、前記サーバは、前記音楽データと、該音楽データを再生するための契機となる再生開始情報が電子透かしによって埋め込まれたジャケットデータとを含む楽曲データを前記情報端末に配信可能であって、前記印刷装置は、前記情報端末の指示に基づいて、前記サーバから配信されたジャケットデータを、前記再生開始情報が電子透かしによって埋め込まれた画像として印刷し、前記情報端末は、前記印刷装置によって印刷されたジャケットの画像をデジタル画像として取得し、取得したデジタル画像から前記再生開始情報を抽出し、該再生開始情報が抽出されることに対応して、前記楽曲データに含まれる音楽データを再生可能となることを特徴としている。
【０００７】
即ち、情報端末においては、音楽データを再生するために、再生開始情報が入力されることが必須条件となっており、楽曲データあるいは音楽データのみでは、音楽を再生することが不可能となっている。
また、前記楽曲データには、前記音楽データが再生される際に表示するための歌詞データが含まれ、前記情報端末において音楽データが再生される際に、該歌詞データを表示可能であることを特徴としている。
【０００８】
また、前記楽曲データが記情報端末に配信された場合、ジャケットデータの印刷が一度のみ許容され、印刷されたジャケットの複製においては、前記再生開始情報が抽出不可能となっていることを特徴としている。
即ち、音楽データの再生に必要なジャケットデータが一枚のみ印刷され、また、それをコピーしたものからは、再生開始情報が抽出されないため、その音楽データは、同時に一人にしか利用されない。
【０００９】
そのため、音楽データの不正なコピー等を防ぐことができる。
また、本発明は、
記憶している複数の音楽データを管理可能な情報端末であって、前記音楽データと、該音楽データを再生するための契機となる再生開始情報が電子透かしによって埋め込まれたジャケットデータとを対応付けて記憶し、前記再生開始情報が電子透かしによって埋め込まれた画像として印刷された該ジャケットデータの画像を、デジタル画像として取得し、取得したデジタル画像から前記再生開始情報を抽出し、該再生開始情報が抽出されることに対応して、前記音楽データを再生可能となることを特徴としている。
【００１０】
ここで、情報端末が楽曲データを取得する方法としては、ネットワークを介して所定のサーバからダウンロードする方法や、ＣＤ（Ｃｏｍｐａｃｔ  Ｄｉｓｋ）等の記憶媒体を介して取得する方法等、種々のものが可能である。
また、本発明は、
デジタルデータとして流通する音楽データを管理するための情報管理方法であって、前記音楽データを、該音楽データを再生するための契機となる再生開始情報が電子透かしによって埋め込まれたジャケットデータと対応付けて楽曲データとして配布し、配布先である情報端末において、前記ジャケットデータを、前記再生開始情報が電子透かしによって埋め込まれた画像として印刷し、印刷されたジャケットの画像をデジタル画像として取得し、取得したデジタル画像から前記再生開始情報を抽出し、該再生開始情報が抽出されることに対応して、前記楽曲データに含まれる音楽データを再生可能となることを特徴としている。
【００１１】
本発明によれば、歌詞データおよび音楽データと、電子透かしが施されたジャケットデータとを含む楽曲データが情報端末に配布され、情報端末のユーザにおいてジャケットデータが印刷される。そして、印刷されたジャケットをカメラ等で撮影することにより再生開始情報が抽出され、再生開始情報の入力に対応して、情報端末は、ジャケットに対応する音楽データを再生する。
【００１２】
したがって、情報端末のユーザは、ジャケットを管理することにより、情報端末に記憶されている音楽を容易に把握し管理することが可能となる。
また、ジャケットをカメラ等で撮影することにより、音楽が再生されるため、音楽を再生させるための手間を軽減することができる。
【００１３】
【発明の実施の形態】
以下、図を参照して本発明に係る情報管理システムの実施の形態を説明する。
まず、構成を説明する。
図１は、本発明を適用した情報管理システム１のシステム構成図である。
図１において、情報管理システム１は、サーバ１０と、携帯情報端末２０と、プリンタ３０と、ネットワーク４０とを含んで構成され、サーバ１０と携帯情報端末２０とは、ネットワーク４０を介して接続されている。
【００１４】
はじめに、サーバ１０の構成について説明する。
図２は、サーバ１０の機能構成を示すブロック図である。
図２において、サーバ１０は、入力部１１と、制御部１２と、記憶部１３と、ＲＡＭ（Ｒａｎｄｏｍ  Ａｃｃｅｓｓ  Ｍｅｍｏｒｙ）１４と、ＶＲＡＭ（Ｖｉｄｅｏ  Ｒａｎｄｏｍ  Ａｃｃｅｓｓ  Ｍｅｍｏｒｙ）１５と、表示部１６と、通信部１７とを含んで構成される。
【００１５】
入力部１１は、カーソルキーや数字入力キー等を備えたキーボード及びマウス等のポインティングデバイスを含み、キーボードにおいて押下されたキーの押下信号やマウスの位置信号を制御部１２に出力する。
制御部１２は、サーバ１０全体を制御するもので、入力部１１あるいは通信部１７から入力される各種の指示信号に従って、記憶部１３に記憶された各種処理に関するプログラムを読み出して実行する。
【００１６】
また、制御部１２は、携帯情報端末２０から送信される楽曲データ送信要求信号に応じて、ジャケットデータを含む所定の楽曲データを携帯情報端末２０に送信する。
そして、制御部１２は、各種プログラム等を実行した処理結果を記憶部１３やＲＡＭ１４の所定の領域に格納したり、表示部１６に表示させたりする。
【００１７】
記憶部１３は、ハードディスク等の不揮発性の記憶装置で構成される。この記憶部１３は、種々の楽曲データや、サーバ１０の制御のための各種処理に関するプログラムを記憶する。
ここで、サーバ１０に記憶されている楽曲データについて説明する。
楽曲データには、ＭＰ３（ＭＰＥＧ  Ａｕｄｉｏ  Ｌａｙｅｒ−３）形式等の音楽データと、その音楽データに対応するジャケットの画像データ（ジャケットデータ）および歌詞データとが含まれている。
【００１８】
また、ジャケットデータには電子透かしが施されており、印刷されたジャケットをデジタルカメラ等によって撮影すると、撮影された画像から所定の電子データ（以下、「再生開始情報」という。）が抽出される。なお、再生開始情報としては、対応する音楽データのＩＤ（識別情報）等とすることが可能である。また、楽曲データに含める情報としては、歌詞データ以外にも、プロモーションビデオ等、種々の映像あるいは画像を採用することが可能である。
【００１９】
そして、音楽データを再生する場合には、印刷されたジャケットをデジタルカメラ等で撮影し、ジャケットから抽出された再生開始情報を入力することで、音楽データの再生が行われる仕様となっている。また、音楽データの再生時には、歌詞データを表示することが可能である。
図２に戻り、ＲＡＭ１４は、各種データを記憶するもので、制御部１２により実行される各種処理において生成された各種データを一時的に格納する。
【００２０】
ＶＲＡＭ１５は、表示部１６で表示される表示データを格納するビデオメモリである。
表示部１６は、例えばドットマトリクスタイプのカラー液晶表示セル等から構成され、ＶＲＡＭ１５に格納された各種データを表示する。
通信部１７は、無線あるいは有線のＬＡＮ、公衆ネットワーク等の通信手段によって、携帯情報端末と通信するインターフェースである。そして、通信部１７は、制御部１２から送信指示された各種データに対し、所定の形式へのデータ変換処理を施して携帯情報端末２０に出力する。また、通信部１７は、携帯情報端末２０から受信した信号にオリジナルデータ形式へのデータ変換処理を施して、制御部１２に出力する。
【００２１】
次に、携帯情報端末２０の構成について説明する。
図３は、携帯情報端末２０の機能構成を示すブロック図である。
図３において、携帯情報端末２０の機能構成は、制御部２２および記憶部２３を除いてサーバ１０の構成と同様であるため説明を省略し、異なる部分についてのみ説明する。
【００２２】
制御部２２は、携帯情報端末２０全体を制御するもので、入力部２１から入力される各種の指示信号に従って、記憶部２３に記憶された各種処理に関するプログラムを読み出して実行する。例えば、制御部２２は、ユーザによって楽曲データのダウンロードが指示された場合、サーバ１０から楽曲データをダウンロードする処理を行う。また、制御部２２は、ユーザによってジャケットデータの印刷が指示された場合、プリンタ３０にジャケットデータを印刷させるための処理を行う。そして、制御部２２は、各種プログラムを実行した処理結果を記憶部２３やＲＡＭ２４の所定の領域に格納したり、表示部２６に表示させたりする。
【００２３】
記憶部２３は、フラッシュＲＯＭ等の不揮発性の半導体メモリで構成される。この記憶部２３は、携帯情報端末２０の制御のための各種処理に関するプログラムや、サーバ１０からダウンロードした楽曲データを記憶する。
図１に戻り、プリンタ３０は、一般的なインクジェットプリンタあるいはレーザプリンタ等であり、専用のプリンタケーブル等によって携帯情報端末２０と接続可能である。そして、プリンタ３０は、携帯情報端末２０からジャケットデータの印刷が指示された場合、印刷用紙にジャケットを印刷する。
【００２４】
ネットワーク４０は、無線あるいは有線のＬＡＮ、公衆ネットワーク等の通信ネットワークである。
次に、情報管理システム１の動作について説明する。
図４は、情報管理システム１の動作を示すフローチャートである。
図４において、情報管理システム１においては、まず、携帯情報端末２０のユーザが、サーバ１０から楽曲データをダウンロードする（ステップＳ１）。
【００２５】
次に、携帯情報端末２０が、ダウンロードした楽曲データを記憶し（ステップＳ２）、ユーザは、楽曲データに含まれるジャケットデータを印刷する（ステップＳ３）。
そして、ユーザは、デジタルカメラ等によって、印刷されたジャケットを撮影し、デジタルデータ化する（ステップＳ４）。
【００２６】
なお、ジャケットを撮影する場合、携帯情報端末２０にデジタルカメラを内蔵しておき、このデジタルカメラを用いることや、別途、デジタルカメラで撮影した画像を携帯情報端末２０に入力することのいずれも可能である。また、スキャナ等の撮像装置を用いることも可能である。
ステップＳ４の後、携帯情報端末２０は、撮影されたジャケットの画像から再生開始情報を抽出し（ステップＳ５）、その再生開始情報と対応する音楽データを再生する（ステップＳ６）。
【００２７】
そして、情報管理システム１は、必要に応じて、これらの処理を繰り返す。
以上のように、本発明を適用した情報管理システム１においては、歌詞データおよび音楽データと、電子透かしが施されたジャケットデータとを含む楽曲データをサーバ１０から携帯情報端末２０に配信し、携帯情報端末２０のユーザは、ジャケットデータを印刷する。そして、印刷されたジャケットをカメラ等で撮影することにより再生開始情報が抽出され、再生開始情報の入力に対応して、携帯情報端末２０は、ジャケットに対応する音楽データを再生する。
【００２８】
したがって、携帯情報端末２０のユーザは、ジャケットを管理することにより、携帯情報端末２０に記憶されている音楽を容易に把握し管理することが可能となる。
具体的には、印刷されたジャケットを捲ることで、携帯情報端末２０に記憶されている音楽を容易に把握することができ、音楽を検索する作業が容易なものとなる。
【００２９】
また、ジャケットをカメラで撮影することにより、音楽が再生されるため、音楽を再生させるための手間を軽減することができる。また、このとき、再生されている音楽に対応する歌詞が表示されるため、ユーザ自らが音楽データと表示する映像等を対応付ける必要がなくなる。
なお、情報管理システム１においては、以下のような応用例が可能である。
（応用例）
応用例として、情報管理システム１を利用して、音楽データの不正コピーを防止する手段を実現可能である。
【００３０】
即ち、楽曲データにおいて、ジャケットデータは一度に限り印刷することができるものとし、電子透かしに関しては、印刷されたジャケットをコピー等したジャケットからは、再生開始情報が抽出されない仕様としておく。
このような場合、音楽データを再生するためには、印刷されたジャケットと楽曲データの両方を必ず所持している必要がある。
【００３１】
即ち、ダウンロードされた楽曲データがコピーされた場合には、その楽曲データのみでは音楽データが再生不可能であり、印刷されたジャケットをコピーした場合であっても、再生開始情報が抽出されないことから、ダウンロードされた楽曲データは、同時に一人のユーザのみによって利用可能となる。
したがって、ネットワークを介するダウンロードあるいはＣＤ（Ｃｏｍｐａｃｔ  Ｄｉｓｋ）等の記憶媒体によって配布された楽曲データの不正コピーを効果的に防止することができる。
【図面の簡単な説明】
【図１】本発明を適用した情報管理システム１のシステム構成図である。
【図２】サーバ１０の機能構成を示すブロック図である。
【図３】携帯情報端末２０の機能構成を示すブロック図である。
【図４】情報管理システム１の動作を示すフローチャートである。
【符号の説明】
１  情報管理システム，１０  サーバ，１１，２１  入力部，１２，２２  制御部，１３，２３  記憶部，１４，２４  ＲＡＭ，１５，２５  ＶＲＡＭ，１６，２６  表示部，１７，２７  通信部，２０  携帯情報端末，３０  プリンタ，４０  ネットワーク
【図１】
2004294502.tif 000003
【図２】
2004294502.tif 000004
【図３】
2004294502.tif 000005
【図４】
2004294502.tif 000006